(57)【要約】【課題】  光ディスク等の記録媒体の再生を開始するときの起動時に、ユーザデータの記録状態を管理するための管理情報の検索時間を短縮し、起動時の待ち時間を短くする。【解決手段】  ユーザデータを記録する第１の記録領域であるユーザデータ領域１０３と、ユーザデータの記録状態を管理する管理情報を記録する第２の記録領域である管理情報記録領域１０１と、管理情報以外の非ユーザデータを記録する第３の記録領域であるその他の領域１０２とを有する記録媒体に対して記録再生を行う。ユーザデータの記録終了時には、管理情報記録領域１０１内の最新の管理情報の記録位置情報を、その他の領域１０２の予め定められた所定位置に記録する。【選択図】  図２
2006302475.tif 000002
【特許請求の範囲】
【請求項１】
ユーザデータを記録する第１の記録領域と、ユーザデータの記録状態を管理する管理情報を記録する第２の記録領域と、上記管理情報以外の非ユーザデータを記録する第３の記録領域とを有する記録媒体に対して記録再生を行う記録再生方法において、
上記第２の記録領域内の最新の上記管理情報の記録位置情報を、上記第３の記録領域の予め定められた所定位置に記録すること
を特徴とする記録再生方法。
【請求項２】
上記第２の記録領域は、記録管理領域ＲＭＡであり、上記第３の記録領域は、リードイン領域であることを特徴とする請求項１記載の記録再生方法。
【請求項３】
上記リードイン領域内のコピー世代管理情報の記録領域以外の所定位置に上記管理情報の記録位置情報を記録することを特徴とする請求項２記載の記録再生方法。
【請求項４】
上記記録媒体の再生時には、最初に上記第３の記録領域の予め定められた所定位置に記録された上記管理情報の記録位置情報を読み取り、次にこの読み取られた管理情報の記録位置情報に応じた上記第２の記録領域の位置の最新の上記管理情報を読み取ることを特徴とする請求項１記載の記録再生方法。
【請求項５】
ユーザデータを記録する第１の記録領域と、ユーザデータの記録状態を管理するための管理情報を記録する第２の記録領域と、上記管理情報以外の非ユーザデータを記録する第３の記録領域とを有するデータ書き換え可能なディスク状記録媒体に対して記録再生を行うディスク記録再生装置において、
上記ディスク状記録媒体を回転駆動するスピンドルモータと、
上記ディスク状記録媒体に対してデータの記録再生を行う光学ピックアップと、
上記ディスク状記録媒体に対して記録再生されるデータ信号を処理する記録再生信号処理部と、
上記スピンドルモータ、光学ピックアップ、記録再生信号処理部の動作を制御するシステム制御回路とを有し、
上記システム制御回路は、ユーザデータの記録終了時に、上記ディスク状記録媒体の上記第２の記録領域に最新の管理情報を記録制御し、この最新の管理情報の記録位置を示す最新管理情報記録位置情報を、上記第３の記録領域の予め定められた所定位置に記録制御し、上記ディスク状記録媒体の再生開始時には、最初に上記第３の記録領域の所定位置に記録された上記管理情報の記録位置情報を読み取り制御し、次にこの読み取られた管理情報の記録位置情報に応じた上記第２の記録領域の位置の最新の上記管理情報を読み取り制御すること
を特徴とするディスク記録再生装置。
【請求項６】
上記第２の記録領域は、記録管理領域ＲＭＡであり、上記第３の記録領域は、リードイン領域であることを特徴とする求項５記載のディスク記録再生装置。
【発明の詳細な説明】
【技術分野】
【０００１】
本発明は、ディジタルデータを記録可能な記録媒体への記録再生を行うための記録再生方法及びディスク記録再生装置に関するものである。
【背景技術】
【０００２】
近年のディスク記録再生装置としては、ＤＶＤ（Digital Versatile Disk、登録商標）をはじめとした記録容量の大きな光ディスクが広く普及している。
【０００３】
このようなＤＶＤ等の光ディスクのメディア（記録媒体）には、予めコンテンツが記録された状態で販売されているＲＯＭ（Read Only Memory）タイプのメディア、何度もデータの上書きが可能なＲＷ（ReWritable）タイプのメディア、１回だけデータの記録が可能なＲ（Recordable）タイプのメディア等の種類がある。
【０００４】
これらのメディアは、内部に記録されたデータの検索が容易になるよう、管理領域というものがディスク上の予約された領域に存在する。この管理領域には、ユーザデータの記録状態を管理するための記録管理情報が記録される。
【０００５】
ディスクが挿入されたとき、光ディスク記録再生装置は、まず管理領域に書かれているデータ（記録管理情報）を読むことにより、当該ディスクにユーザデータがどの位置にどれだけ記録されているかを読み取り、データの再生や追記を高速に行う目的で使用する。こういった管理領域が存在しない場合（テープ等のシーケンシャルメディア）には、ユーザデータがどこに書かれているかを把握する手段がないために、先頭からデータを再生してデータの検索を行わなければならない。
【０００６】
この管理領域は、ＲＷメディアでは、内部のデータが更新されるたびにそのデータ（管理情報）を上書きすることで更新が行われる。ただし、その記録箇所がディスクの傷や、ディスクの書き換え可能回数以上の書き換えなどにより書き込みできない（これを欠陥と呼ぶ）場合は、位置を変えて記録される。
【０００７】
一方、Ｒメディアでは、メディアの特性上データの上書きが出来ない為に、管理領域を多めに取り、その領域の先頭から管理情報を書き更新されるたびに、新しい管理情報のデータを追記していく行為が行われる。
【０００８】
このような光ディスク等のメディアに記録されたデータの再生を行う場合、光学ピックアップから来たデータは等化回路で波形整形が行われた後、エラー訂正が行われてバッファメモリにデータが蓄えられ、外部Ｉ／Ｆを介してホストコンピュータもしくはビデオ再生装置にデータが送られる。
【０００９】
光ディスク等のメディアは、全体をある決まったデータ量毎に区切り、その１つ１つに物理アドレス番号を振っている。また、このアドレスを利用してディスク上の領域を使用目的に応じてユーザデータ記録領域と、それ以外の領域とに分割する。ユーザデータ以外の領域の中に、先に述べた管理情報の記録領域が存在する。
【００１０】
ここで、この管理情報が何らかの要因で破壊され、読み取り不能になった場合には、ユーザデータそのものが読み出せなくなってしまうため、盤面上に記録されたＲＦ信号の有無を検出する回路を設けることにより、ユーザデータの先頭アドレスからデータを再生してゆけば、どこまでユーザデータが記録されたか判別できるようになっている。
【００１１】
例えば、特許文献１には、１度だけデータを記録可能な追記型光ディスク、いわゆるライトワンス型光ディスクの代表例としてのＤＶＤ−Ｒにデータを記録する光ディスク装置及びその制御方法の技術が開示されている。
【００１２】
【特許文献１】特開２００３−２２８８５３号公報
【発明の開示】
【発明が解決しようとする課題】
【００１３】
ところで、上述のようなＲＷメディアでは、ユーザデータを追記（もしくは上書き）する度にこれらの管理情報を上書きにより更新していくが、記録箇所が欠陥になった場合は次の位置に移動して記録する。このとき、何度も記録位置を移動した管理情報を検索するためには、管理情報の記録領域内に記録された末端の管理情報が見つかるまで、管理情報記録領域の先頭から順番に読み取る必要がある。従って、ｎ回移動した場合には、１つの管理情報を読むための時間のｎ倍がかかるため、ｎが大きくなると長時間を要することになる。高倍速再生すれば、速度の倍数に比例して読み取り時間は短くなるものの、光ディスクドライブではスピンドルモータの消費電力は再生倍速に比例して大きくなるため、例えばモバイル機器ではあまり倍速を上げることはできない。
【００１４】
例えば、光ディスクを用いたモバイルタイプのビデオカメラ装置では、ＤＶＤ−ＲＷを用いる場合には再生速度は２倍速程度が適当とされるが、この２倍速で上記管理情報記録領域を全て読み取るのに要する時間は７〜８秒程度となり、最悪のケースでの待ち時間が長くかかるものとなっている。
【００１５】
このことは、装置の起動時に、ＤＶＤ−ＲＷ等のディスクにデータが追記可能になるまでの時間がそれだけかかる事を意味しており、光ディスクドライブを使用するユーザにとって大きなデメリットとなる。
【００１６】
本発明は、このような従来の実情に鑑みて提案されたものであり、光ディスク等の記録媒体の再生を開始するときの起動時に、ユーザデータの記録状態を管理するための管理情報の検索時間を短縮し、起動時の待ち時間を短くすることができるような記録再生方法及びディスク記録再生装置を提供することを目的とする。
【課題を解決するための手段】
【００１７】
上述の課題を解決するために、本発明は、ユーザデータを記録する第１の記録領域と、ユーザデータの記録状態を管理する管理情報を記録する第２の記録領域と、管理情報以外の非ユーザデータを記録する第３の記録領域とを有する記録媒体に対して記録再生を行う記録再生方法において、第２の記録領域内の最新の管理情報の記録位置情報を、第３の記録領域の予め定められた所定位置に記録することを特徴とする。
【００１８】
また、本発明は、ユーザデータを記録する第１の記録領域と、ユーザデータの記録状態を管理するための管理情報を記録する第２の記録領域と、管理情報以外の非ユーザデータを記録する第３の記録領域とを有するデータ書き換え可能なディスク状記録媒体に対して記録再生を行うディスク記録再生装置において、ディスク状記録媒体を回転駆動するスピンドルモータと、ディスク状記録媒体に対してデータの記録再生を行う光学ピックアップと、ディスク状記録媒体に対して記録再生されるデータ信号を処理する記録再生信号処理部と、スピンドルモータ、光学ピックアップ、記録再生信号処理部の動作を制御するシステム制御回路とを有し、システム制御回路は、ユーザデータの記録終了時に、ディスク状記録媒体の第２の記録領域に最新の管理情報を記録制御し、この最新の管理情報の記録位置を示す最新管理情報記録位置情報を、第３の記録領域の所定位置に記録制御し、ディスク状記録媒体の再生開始時には、最初に第３の記録領域の予め定められた所定位置に記録された管理情報の記録位置情報を読み取り制御し、次にこの読み取られた管理情報の記録位置情報に応じた第２の記録領域の位置の最新の管理情報を読み取り制御することを特徴とする。
【００１９】
ここで、上記第２の記録領域は、記録管理領域ＲＭＡであり、上記第３の記録領域は、リードイン領域であることが好ましい。
【００２０】
このような本発明では、ユーザデータの記録終了時に、記録媒体の第２の記録領域に最新の管理情報を記録し、この最新の管理情報の記録位置を示す最新管理情報記録位置情報を、第３の記録領域の予め定められた所定位置に記録し、ディスク状記録媒体の再生開始時には、最初に第３の記録領域の所定位置に記録された管理情報の記録位置情報を読み取り制御し、次にこの読み取られた管理情報の記録位置情報に応じた第２の記録領域の位置の最新の管理情報を読み取り制御する。
【発明の効果】
【００２１】
本発明によれば、光ディスク等の記録媒体の再生を開始するときの起動時に、ユーザデータの記録状態を管理するための管理情報の検索時間を短縮し、起動時の待ち時間を短くすることが可能となる。
【発明を実施するための最良の形態】
【００２２】
以下、本発明を適用した具体的な実施の形態について、図面を参照しながら詳細に説明する。
【００２３】
図１は、本発明の実施の形態に用いられる光ディスク記録再生装置を概略的に示すブロック図である。この実施の形態における記録メディアとしては、例えばＤＶＤ（Digital Versatile Disk、登録商標）−ＲＷ（ReWritable）タイプの光ディスク１０を想定しているが、これに限定されず、ＤＶＤ−Ｒ（Recordable）タイプ、ＤＶＤ＋ＲＷタイプ、ＤＶＤ＋Ｒタイプの光ディスク等、種々の記録メディアが使用可能である。
【００２４】
この図１において、入出力端子１１を介し、入出力インターフェース（Ｉ／Ｆ）１２を介して、外部のホストコンピュータやビデオ撮影装置など（図示せず）より入力されたデータは、記録再生信号処理部２０内のメモリコントローラ２１を介して、バッファメモリ２２に一旦蓄えられる。このバッファメモリ２２は、インターフェース／ホストコンピュータ間のデータ転送レートと、ディスク記録再生装置のデータ転送レートの違いを吸収するために設けられたものである。
【００２５】
インターフェース／ホストコンピュータ間のデータ転送レートがディスク記録再生装置のデータ転送レートより遅い場合、ディスク記録再生装置は入出力インターフェース１２からバッファメモリ２２に送られるデータによってバッファメモリ２２が一杯になったら、ディスクを駆動して、ＥＣＣエンコーダ２３によりＥＣＣの付加を行い、変調回路２４で記録に適した変調を行い、ディスク側が記録の準備が出来たらデータ記録用の記録ドライバ２５を介して光学ピックアップ１５に信号が送られ、例えばＤＶＤ−ＲＷタイプの光ディスク１０に対してデータの記録を開始する。
【００２６】
ここで、スピンドルモータ１７が光ディスク１０を回転駆動しており、サーボ制御回路１８は、光学ピックアップ１５のフォーカシング、トラッキング、スレッディング等の各制御や、スピンドルモータ１７の回転制御等を行う。フォーカス制御のためのフォーカスエラー信号や、トラッキング制御のためのトラッキングエラー信号等は、光学ピックアップ１５からヘッドアンプ１６を介してサーボ制御回路１８に送られる。なお、光学ピックアップ１５のスレッディングあるいはトラックジャンプ制御や、スピンドルモータ１７の回転制御等のための情報は、後述するシステム制御回路３０からサーボ制御回路１８に送られ、各制御が行われる。
【００２７】
これらの制御がされながら、光ディスク１０に対してデータの記録が行われ、バッファメモリ２２が空になったら記録を止め、ホストコンピュータ等から送られて来たデータにより再びバッファメモリ２２が一杯になるまで待ち、また記録を開始する。
【００２８】
逆に、ディスク記録装置のほうが相対的にデータ転送レートが遅い場合、ホストコンピュータからのデータの転送の方が待たされることとなる。なお、このようなことは一般にはあまりなく、例えばコンピュータペリフェラルのディスク装置の場合にあり得る程度である。
【００２９】
次に、データの再生を行う場合には、光学ピックアップ１５により光ディスクから読み取られたデータは、ヘッドアンプ１６を介し、記録再生信号処理部２０内のイコライザ（等化回路）２７に送られて波形整形が行われる。その後、復調回路２８で復調され、ＥＣＣデコーダ２９でエラー訂正が行われて、メモリ制御回路２１を介してバッファメモリ２２にデータが蓄えられる。バッファメモリ２２に蓄えられたデータは、記録再生信号処理部２０のメモリコントローラ２１から出力され、入出力インターフェース１２を介し、入出力端子１１を介して、外部のホストコンピュータもしくはビデオ再生装置など（図示せず）に送られる。
【００３０】
このような記録再生信号処理部２０やサーボ制御回路１８の動作は、システム制御回路３０により制御される。システム制御回路３０には、ワークメモリ用のＲＡＭ３１、プログラムやデータ等が記憶されたＲＯＭ３２等が接続されている。システム制御回路３０は、後述するように、記録、再生の際に、外部からの制御情報や、光ディスク１０から読み取られたクロック情報やアドレス情報等に応じて、記録再生信号処理部２０の各回路部の動作を制御したり、サーボ制御回路１８に対して、回転制御情報を送ってディスク回転を駆動制御したり、光ディスク１０の目的アドレス位置に光学ピックアップ１５を移動させる制御を行わせたりするものである。
【００３１】
ここで、光ディスク１０等の記録メディアは、全体をある決まったデータ量毎に区切り、その１つ１つに物理アドレス番号を振っている。また、このアドレスを利用してディスク上の領域を使用目的に応じてユーザデータを記録する第１の記録領域とユーザデータ以外のデータを記録する領域とに分割している。このユーザデータ以外の記録領域は、予約領域とも称され、先に述べたようなユーザデータの記録状態を管理する管理情報を記録する第２の記録領域と、管理情報以外の非ユーザデータを記録する第３の記録領域とが存在している。
【００３２】
図２は、光ディスク１０等の記録メディアにおける管理領域の一例を示す図である。この図２において、光ディスクの最内周から順に、少なくとも、管理情報記録領域（第２の記録領域）１０１、その他の領域（第３の記録領域）１０２、ユーザデータ領域（第１の記録領域）１０３が設けられ、管理情報記録領域１０１には、複数の管理情報Ｍ１〜Ｍｎが記録される。この管理情報としては、
(a) メディア（光ディスク）の内部をどのように区切って使用しているか、
(b) ユーザデータ記録開始可能アドレス、
(c) ユーザデータ記録終了アドレス、
のようなデータが挙げられる。
【００３３】
ＲＷメディアでは、ユーザデータを追記（もしくは上書き）する度にこれらの管理情報を上書きにより更新していく。ただし、記録箇所が欠陥になる場合を考慮して、管理情報を記録するための予約領域を大きめに取り、記録箇所が欠陥になった場合は他の場所に記録する。
【００３４】
例えば図２において、メディアの使用を開始したときに「管理情報Ｍ１」が記録され、メディアにユーザデータを追記または上書きする毎に「管理情報Ｍ１」の内容を上書きで更新していく。「管理情報Ｍ１」の部分が欠陥になった場合は、記録位置を「管理情報Ｍ２」に移動し、その領域に記録する。繰り返し（ｎ−１）回、管理情報の記録位置が欠陥となった場合は、「管理情報Ｍｎ」の位置に管理情報を記録させる。このような記録制御は、上記図１の主としてシステム制御回路３０により実行される。
【００３５】
従来においては、何度も記録位置を移動した管理情報を検索するためには、管理情報記録領域内に記録された末端の管理情報が見つかるまで、予約領域の先頭から順番に読み取る必要がある。
【００３６】
この場合の、システム制御回路等によるディスク挿入から最新の管理情報を検索するまでの手順としては、例えば図３に示すようなものが挙げられる。この図３の例では、ステップＳ１でスピンドルを回転駆動し、ステップＳ２でレーザ発光駆動開始し、ステップＳ３で、フォーカスサーボ、トラッキングサーボ及び線速度一定サーボを実行している。次のステップＳ４で、光ディスク１０上の光学ピックアップ１５の位置に応じたアドレスを読み、ステップＳ５で、管理情報が書いてある管理情報記録領域の先頭にシークし、ステップＳ６で、管理情報記録領域を先頭から再生して、記録済み領域の終了点を検出し、ステップＳ７で、終了点に書いてあるデータを有効な管理情報として読む。
【００３７】
ここで、上記ステップＳ５，Ｓ６，Ｓ７の手順の管理情報を得るために要する時間、特にステップＳ６の管理情報記録領域を先頭から順に記録済み終了点まで読むのに要する時間は、１つの管理情報を読むための時間のｎ倍となるため、ｎが大きくなると長時間を要することになる。高倍速再生すれば、速度の倍数に比例して読み取り時間は短くなるものの、光ディスクドライブではスピンドルモータの消費電力は再生倍速に比例して大きくなるため、モバイル機器ではあまり倍速を上げることはできない。例えば、光ディスクを用いたモバイルタイプのビデオカメラ装置では、ＤＶＤ−ＲＷを用いる場合には２倍速程度が適当とされるが、この２倍速で上記管理情報記録領域を全て読み取るのに要する時間は７〜８秒程度となり、待ち時間として長いものとなっている。
【００３８】
このことは、装置の起動時に、ＤＶＤ−ＲＷ等のディスクにデータが追記可能になるまでの時間がそれだけかかる事を意味しており、光ディスクドライブを使用するユーザにとって大きなデメリットとなる。
【００３９】
このような点を考慮して、本発明の実施の形態においては、最新の管理情報が記録された位置の情報（最新管理情報記録位置情報）を、記録メディア上のユーザデータ領域以外の領域内の予め定められた場所に記録しておくことにより、最新の管理情報を読み取るための時間を短くするようにしている。
【００４０】
以下、本発明の実施の形態の具体例について説明する。
【００４１】
図１の構成におけるシステム制御回路３０等により管理情報を記録制御する際に、メディアの使用を開始して最初の記録時と管理情報の記録位置が移動した時に、最新の管理情報を記録した位置（アドレス等）を示す情報である管理情報記録位置情報を、予約領域内のフォーマット上空いた領域に記録する。
【００４２】
例えば、ＤＶＤ−ＲＷにおいては、リードイン領域（Lead-in area）のＮＢＣＡ（Narrow Burst Cutting Area）領域以外のイニシャルゾーン（Initial Zone）が挙げられる。ただし、この領域に００ｈ以外を書き込むことはフォーマット違反となる。また、この領域はファイナライズ時に上書きされる。そのため、ファイナライズ前の状態においてのみ他機互換性がなくなるという制限が加わる。
【００４３】
ここで、ＤＶＤ−ＲＷの記録フォーマット、特に管理情報の記録に関連する部分について説明する。ＤＶＤ−ＲＷにおける管理情報記録領域は、ＲＭＡ（Recording Management Area）と称され、管理情報の単位としてのＲＭＤ（Recording Management Data）が記録されるＲＭＤブロック（１ブロック：３２７６８バイト）の７００ブロックを記録可能に構成されている。ＤＶＤ−ＲＷの記録モードには、シーケンシャルモード（Incremental recording mode and Disk at once recording mode）と、ＲＯＷモード（Restricted OverWrite mode）とがあり、これらの記録モードに応じて上記管理情報記録領域ＲＭＡの使用形態が異なっている。
【００４４】
図４は、上記ＲＯＷモード時の管理情報記録領域ＲＭＡの具体的な構造を示すものである。この図４において、管理情報記録領域ＲＭＡの先頭位置にはＲＭＡリードイン（RMA Lead-in）が配され、このＲＭＡリードインに続いて、上記７００個のＲＭＤブロックが、図４に示すような階層構造を有して配置されている。すなわち、５個のＲＭＤブロックが１つのＲＭＤセットを構成し、２８個のＲＭＤセットＲＳ１〜ＲＳ２８が１つのＲＭＡセグメントを構成し、５個のＲＭＡセグメントＲSeg１〜ＲSeg５と上記ＲＭＡリードインとで管理情報記録領域ＲＭＡを構成している。１つのＲＭＤブロックは、３２７６８バイトで、１つのリンキングロス領域ＬＬと、１５のフィールド（Ｆ０〜Ｆ１４）とから構成されている。ＲＭＤブロックには、３種類のフォーマット（フォーマット１，２，３）が規定されており、フォーマット１は上記シーケンシャルモードに用いられ、フォーマット３は上記ＲＯＷモードに用いられ、フォーマット２は両方のモードに用いられる。上記ＲＯＷモードの場合には、５個のＲＭＡセグメントの各セグメントについて、最初のＲＭＤセットＲＳ１がフォーマット２とされ、残りのＲＭＤセットＲＳ２〜ＲＳ２８がフォーマット３とされる。フォーマット２のＲＭＤブロック内のフィールドＦ１には、ＲＭＤセットの位置情報（ＲＭＤセットのポインタ）が書き込まれる。なお、上記シーケンシャルモードの場合には、管理情報記録領域ＲＭＡの先頭のＲＭＡリードインの直後のＲＭＤセットがフォーマット２とされ、残りの部分は全てフォーマット１のＲＭＤブロックとされる。
【００４５】
このような記録フォーマットのＤＶＤ−ＲＷの場合に、図２の管理情報記録領域１０１は、上記ＲＭＡとして物理アドレス0x0203d0から開始され、その他の領域は、リードイン領域（Lead-in Zone）として物理アドレス0x022fa0から開始される。本発明の実施の形態においては、この物理アドレス0x202fa0から開始されるリードイン領域（Lead-in Zone）内の所定位置に、管理情報記録位置情報を書き込むようにしている。
【００４６】
さらに具体的な例としては、上記リードイン領域（Lead-in Zone）内の、物理アドレス0x202fa0〜0x02e200のイニシャル領域（Initial Zone）を利用することが挙げられる。この領域は、規格上では00h で埋めるだけの領域であるが、本発明の実施の形態では、上述したように、最新の管理情報の記録位置情報を、上記イニシャル領域内の所定位置に記録するものである。この最新管理情報の記録位置情報として、上記ＲＯＷモードの場合には、最新の上記フォーマット２のＲＭＤブロックの位置（例えば８バイトのアドレスデータ）を記録することが挙げられ、また、上記シーケンシャルモードの場合には、最新の上記フォーマット１のＲＭＤブロックの位置（例えば８バイトのアドレスデータ）を記録することが挙げられる。
【００４７】
ただし、このイニシャル領域（Initial Zone）内には、オプションとして、コピーの世代管理用のＮＢＣＡ（Narrow Burst Cutting Area）データが書き込まれる場合がある。このＮＢＣＡデータは、物理アドレス0x023500〜0x02bb00の区間に書き込まれるので、その範囲を除いた、0x202fa0〜0x023500、0x02bb00〜0x02e200の範囲内の所定位置に、上記最新管理情報の記録位置情報を記録することが好ましい。
【００４８】
次に、図１のシステム制御回路３０等によるこのような最新管理情報の記録位置情報の記録動作の具体例について、図５のフローチャートを参照しながら説明する。
【００４９】
管理情報の記録は、一般に、ユーザデータの記録が終了したときや、ディスクを取り出す際等に行われる。このような最新の管理情報の記録を行う場合に、図５の最初のステップＳ１１では、上記管理情報記録領域ＲＭＡ内の最新の管理情報の記録位置にシークを行い、次のステップＳ１２でその記録位置に管理情報を上書きしようとする。このとき、記録位置での欠陥等により、上書きに失敗した場合（ＮＧの場合）には、ステップＳ１３に進み、上書きに成功した場合（ＯＫの場合）には、後述するステップＳ１５に進む。ステップＳ１３では、上記管理情報記録領域ＲＭＡ内の管理情報の記録位置の終了点、すなわち、未記録領域の開始点（先頭位置）にシークを行い、次のステップＳ１４で管理情報を書き込む。このステップＳ１４において、管理情報の書き込みが成功した場合（ＯＫの場合）には、ステップＳ１５に進み、失敗した場合（ＮＧの場合）には、ステップＳ１３に戻る。ステップＳ１５では、上述したようなイニシャル領域（Initial Zone）内等に設定された最新の管理情報の記録位置情報の記録場所に、現在の上記最新管理情報の記録位置情報が記録されているか否かを判別する。ここで、上記ステップＳ１２において最新管理情報の上書きが成功した（ＯＫ）場合には、最新管理情報の記録位置は変化していないため、ステップＳ１５でＹＥＳと判別され、処理を終了する。これに対して、上記ステップＳ１２において最新管理情報の上書きに失敗した（ＮＧ）場合には、最新管理情報の記録位置が移動するため、ステップＳ１５でＮＯと判別され、ステップＳ１６に進む。ステップＳ１６では、上述したようなイニシャル領域（Initial Zone）内等に設定された最新の管理情報の記録位置情報の記録場所にシークを行い、次のステップＳ１７で、最新管理情報の記録位置の情報を、管理情報の記録位置情報の記録場所に記録する。
【００５０】
次に、本発明の実施の形態におけるディスク挿入から最新の管理情報を検索する動作について、図６のフローチャートを参照しながら説明する。この動作も、図１のシステム制御回路３０等により制御されるものである。
【００５１】
ディスクが記録再生装置に挿入されると、ステップＳ２１でスピンドルを回転駆動し、ステップＳ２２でレーザ発光駆動開始し、ステップＳ２３で、フォーカスサーボ、トラッキングサーボ及び線速度一定サーボを実行している。次のステップＳ２４で、上記図１の光ディスク１０上の光学ピックアップ１５の位置に応じたアドレスを読み、ステップＳ２５で、管理情報の記録位置情報の記録場所にシークを行う。これは、上述したような、イニシャル領域（Initial Zone）内等に予め設定された最新の管理情報の記録位置情報の記録場所に光学ピックアップ１５を移動させてデータを読み取るものである。次のステップＳ２６では、読み取った最新の管理情報の記録位置情報に応じたディスク上の位置に光学ピックアップ１５を移動させて、管理情報を読み取り、これが有効な最新の管理情報として用いられる。
【００５２】
次に、ディスク挿入から最新の管理情報を検索する動作に応じた起動時間について、従来の技術と本発明の実施の形態とを比較して説明する。
【００５３】
上述したようなＤＶＤ−ＲＷの場合に、２倍速での１ＥＣＣブロック（上記１ＲＭＤブロック）のサイズのデータ読み取り時間は、規格書により１１．８ｍｓと規定されており、また１回のシーク時間は平均１００ｍｓである。この速度で、上記シーケンシャルモード（Incremental recording mode and Disk at once recording mode）における管理情報検索を行う場合の最悪のケース、すなわち、上記管理情報記録領域ＲＭＡの全ての７００ＥＣＣブロックを読み取る時間を考えると、最初にシークをした後７００ＥＣＣブロックを読み取るとして、
１００（ｍｓ）＋７００×１１．８（ｍｓ）＝８．３６（ｓ）
となる。このような最悪のケースは極めてまれであるとしても、上記管理情報記録領域ＲＭＡの約半分のＥＣＣブロックに管理情報が記録された場合には、約４秒以上もの起動時間がかかることになる。
【００５４】
これに対して、本願発明の実施の形態によれば、最初に管理情報の記録位置情報が書き込まれている場所にシークして最新の管理情報位置を読み取ることができるため、この最新の管理情報の記録位置を取得するのに要する時間が（１００＋１１．８）ｍｓであり、読み取った記録位置に応じた管理情報を読み取るまでに要する時間は、
１００＋１１．８＋（１００＋１１．８）×２＝３３５．４（ｍｓ）
となる。従って、シーケンシャルモードの場合の起動時間は、従来の最悪ケースで８秒、場合によっては４秒以上もかかっていたものが、本発明の実施の形態によれば、０．３３５４秒程度で済むことになる。
【００５５】
また、上記ＲＯＷモード（Restricted OverWrite mode）での管理情報検索を行った場合に、本発明の実施の形態では上述したように０．３３５４秒であるのに対して、従来においては、次のように、約３倍近くの起動時間がかかることになる。すなわち、従来のＲＯＷモードでは、最初に５つ存在する各ＲＭＡセグメントの先頭のＲＭＤセットＲＳ１の５ＲＭＤブロックを読み取り、その中で一番アップデートカウンタ（Update Counter：上記フォーマット２のＲＭＤブロックのフィールドＦ１の０〜３バイト）の高いものを選択してＲＭＡセグメントを決定し、そのフォーマット２のＲＭＤブロックのフィールドＦ１の４〜７バイトに記された、フォーマット３ＲＭＤブロックのセットポインタ（Set pointere）が示す先のＲＭＤセットを読み取って管理情報の読み取りが完了する。このような従来のＲＯＷモードでの処理に必要な時間は、
（１００＋５×１１．８）×５＋（１００＋５×１１．８）＝９５４（ｍｓ）
となり、これに比べて、上記本発明の実施の形態の起動時間（３３５．４ｍｓ）は、約１／３の時間で済むことになる。
【００５６】
ところで、例えばＤＶＤ−ＲＷの場合に、規格上では、上記リードイン領域は００ｈ以外を書き込むことはフォーマット違反となるため、本発明の実施の形態のような構成を有さない他の機器との互換性を保つために、いわゆるファイナライズ処理を行うことが好ましい。このファイナライズ処理は、主として上記リードイン領域を００ｈで上書きするものであり、例えば、次のような手順で行うことが挙げられる。
【００５７】
すなわち、ファイナライズ処理を行う場合に、線速度一定サーボ実行中において、ボーダーアウト（Border Out）開始アドレスの制限（アドレス0x3ff00以上）を満たさない場合に、ユーザーデータ記録済み領域の末端からアドレス0x3ff00までを０データで埋める。次に、ユーザーデータ内の記録済み領域の末端に管理情報（Border-Out、Lead-Out）を記録する。次に、リードイン（Lead-in）領域を最新の情報で上書きする。この際に管理情報を記録した場所を示す情報を保存した箇所を００ｈで埋め、フォーマット違反を避けるようにする。
【００５８】
以上説明したような本発明の実施の形態によれば、例えばＤＶＤ−ＲＷメディアを２倍速再生する場合において、最悪ケースで７〜８秒程度かかっていた管理情報の検索時間を約０．３秒程度にまで短縮することが可能である。このため、低消費電力化、小型化のために、再生倍速を上げることが出来なかったモバイル機器等に用いられるドライブであっても、起動時間の高速化ができる。
【００５９】
なお、本発明は上述した実施の形態のみに限定されるものではなく、本発明の要旨を逸脱しない範囲において種々の変更が可能であることは勿論である。例えば、記録媒体は、ＤＶＤ−ＲＷに限定されるものではなく、ＤＶＤ＋ＲＷ、ＤＶＤ−Ｒ、ＤＶＤ＋Ｒ、ＤＶＤ−ＲＡＭ、ＣＤ−Ｒ、ＣＤ−ＲＷ等の記録可能な光ディスクや、その他の記録媒体にも本発明を適用可能である。また、第２の領域は記録管理領域ＲＭＡに限定されず、第３の記録領域もリードイン領域に限定されないことは勿論である。
【図面の簡単な説明】
【００６０】
【図１】本発明の実施の形態となるディスク記録再生装置の概略構成を示すブロック図である。
【図２】本発明の実施の形態に用いられる光ディスクの各記録領域の構成例を示す図である。
【図３】ディスク挿入から最新の管理情報を検索するまでの手順を説明するためのフローチャートである。
【図４】ＤＶＤ−ＲＷの記録管理領域ＲＭＡの具体的な構造を説明するための図である。
【図５】本発明の実施の形態における最新管理情報の記録位置情報の記録動作の手順を説明するためのフローチャートである。
【図６】本発明の実施の形態におけるディスク挿入から最新の管理情報を検索するまでの手順を説明するためのフローチャートである。
【符号の説明】
【００６１】
１０  光ディスク、  １５  光学ピックアップ、１７  スピンドルモータ、  １８  サーボ制御回路、  ２０  記録再生信号処理部、  ３０  システム制御回路
【図１】
2006302475.tif 000003
【図２】
2006302475.tif 000004
【図３】
2006302475.tif 000005
【図４】
2006302475.tif 000006
【図５】
2006302475.tif 000007
【図６】
2006302475.tif 000008